(57)【要約】【課題】バンク切り放し制御装置を導入することなく、監視員が実際に昇降機に異常が発生しているのか工事中であるのかを判断することができる昇降機監視システムを得る。【解決手段】昇降機制御装置から運行状況を受信し、受信した昇降機の運行状況に基づき監視を行うサーバー装置３と、サーバー装置３に接続され、サーバー装置３が受信した上記昇降機の運行状況を表示すると共に、入力装置により入力された上記昇降機への制御指令を、サーバー装置３を介して対象とする昇降機制御装置２に送信するクライアント装置４ａ、４ｂとを備え、サーバー装置３は、上記昇降機の稼働開始および稼働停止スケジュールを参照して上記昇降機が稼働停止中のときは、サーバー装置３と対象とする上記昇降機の運行状況の監視を停止する。【選択図】図１
2013216459.tif 000002
【特許請求の範囲】
【請求項１】
昇降機制御装置から運行状況を受信し、受信した昇降機の運行状況に基づき監視を行うサーバー装置と、
上記サーバー装置に接続され、上記サーバー装置が受信した上記昇降機の運行状況を表示すると共に、入力装置により入力された上記昇降機への制御指令を、上記サーバー装置を介して対象とする上記昇降機制御装置に送信するクライアント装置と、を備え、
上記サーバー装置は、上記昇降機の稼働開始および稼働停止スケジュールを参照して上記昇降機が稼働停止中のときは、上記サーバー装置と対象とする上記昇降機の運行状況の監視を停止することを特徴とする昇降機監視システム。
【請求項２】
監視を停止した上記昇降機は、稼働中の昇降機と区別して、工事中であることがわかる表示を上記クライアント装置の画面に表示するか、または上記クライアント装置の画面の表示から消去するかを選択できることを特徴とする請求項１に記載の昇降機監視システム。
【請求項３】
上記昇降機の稼働開始および稼働停止のスケジュールは、上記昇降機監視装置のメンテナンス機能で修正、変更が可能であることを特徴とする請求項１または２に記載の昇降機監視システム。
【発明の詳細な説明】
【技術分野】
【０００１】
この発明は、昇降機監視システムに係り、特に、改装工事中または搬入前の昇降機がある状態で昇降機の監視を行う昇降機監視システムに関するものである。
【背景技術】
【０００２】
改装工事中または搬入前の昇降機がある状態で昇降機監視装置を稼働させると、改装工事中または搬入前の昇降機は、昇降機監視装置の画面上に継続的に異常表示されることになる。このため、監視員は実際に昇降機に異常が発生しているのか、工事中のためなのか判断できない。この状態を回避するために、従来では昇降機改装工事の前後や搬入前後で昇降機監視装置のシステムを変更することで対応している。
【０００３】
この問題を解決するために、例えば特開２００６−１９３２７４号公報（特許文献１）に、バンク切り放し制御装置を設けて、バンク切り放し制御装置からバンク切り放し指令が出されたときは、エレベータ監視サーバー装置と該当するバンクとの接続を切断することでエレベータの運行状況の監視を停止する技術が開示されている。
【先行技術文献】
【特許文献】
【０００４】
【特許文献１】特開２００６−１９３２７４号公報
【発明の概要】
【発明が解決しようとする課題】
【０００５】
しかし、上記特許文献１に開示された従来技術では、改装工事中のバンクとの接続を切断する目的で、バンク切り放し制御装置を導入する必要があり、また、このバンク切り放し制御装置は、エレベータの全号機が正常に稼働している時には全く不要な存在である。
【０００６】
この発明は、上記課題を解決するためになされたもので、バンク切り放し制御装置を導入することなく、監視員が実際に昇降機に異常が発生しているのか工事中であるのかを判断することができる昇降機監視システムの提供を目的とするものである。
【課題を解決するための手段】
【０００７】
この発明に係る昇降機監視システムは、昇降機制御装置から運行状況を受信し、受信した昇降機の運行状況に基づき監視を行うサーバー装置と、上記サーバー装置に接続され、上記サーバー装置が受信した上記昇降機の運行状況を表示すると共に、入力装置により入力された上記昇降機への制御指令を、上記サーバー装置を介して対象とする上記昇降機制御装置に送信するクライアント装置と、を備え、上記サーバー装置は、上記昇降機の稼働開始および稼働停止スケジュールを参照して上記昇降機が稼働停止中のときは、上記サーバー装置と対象とする上記昇降機の運行状況の監視を停止するものである。
【発明の効果】
【０００８】
この発明に係る昇降機監視システムによれば、バンク切り放し制御装置を導入することなく、監視員が実際に昇降機に異常が発生しているのか工事中であるのかを判断することができる。
【図面の簡単な説明】
【０００９】
【図１】この発明の実施の形態１に係る昇降機監視システムの構成図である。
【図２】この発明の実施の形態１に係る昇降機監視システムでのスケジュールデータの一例を示す図である。
【図３】この発明の実施の形態１に係る昇降機監視システムでのサーバー装置の昇降機状態監視フロー図である。
【図４】この発明の実施の形態１に係る昇降機監視システムでのクライアント装置の昇降機監視画面作成フロー図である。
【図５】この発明の実施の形態１に係る昇降機監視システムでのクライアント装置の停止中昇降機表示フロー図である。
【図６】この発明の実施の形態１に係る昇降機監視システムでの昇降機監視画面の一例を示す図である。
【発明を実施するための形態】
【００１０】
以下、この発明に係る昇降機監視システムの好適な実施の形態について図面を参照して説明する。
【００１１】
実施の形態１．
図１は、この発明の実施の形態１に係る昇降機監視装置を示す構成図である。図１において、複数のエレベータ１ａ〜１ｃの運行を制御する昇降機制御装置２とエスカレータ１ｄ〜１ｅは、サーバー装置３に接続されている。サーバー装置３は、クライアント装置４ａ、４ｂと接続されている。また、サーバー装置３には後述する昇降機の稼働開始／停止スケジュールを記録したスケジュールデータ５が記憶されている。
【００１２】
図２は、サーバー装置３に記憶されている昇降機の稼働開始／停止スケジュールを記録したスケジュールデータ５の一例を示す図である。スケジュールデータ５には、昇降機の各号機毎の稼働停止日時と稼働開始日時、および稼働停止中に監視画面に工事中表示をするかまたは昇降機を非表示とするかの表示方法が設定されている。未搬入の昇降機は非表示、改装中の昇降機は工事中等ユーザーの好みで設定可能とする。
【００１３】
このスケジュールデータ５は、サーバー装置３またはクライアント装置４ａ、４ｂからメンテナンス機能を使用して変更することが可能であり、稼働停止日時が未定の昇降機については、稼働停止日時および稼働開始日時は設定しなくてもよい。
【００１４】
また、サーバー装置３では、各号機ごとの状態変化時の処理を図３に示すフロー図により処理する。
図３において、まず、ステップＳ１でサーバー装置３の、各号機ごとのスケジュールデータ５を参照して状態変化した号機の稼働停止日時が登録されているか確認する。
【００１５】
ステップＳ１で状態変化した号機の稼働停止日時が登録されている場合は、ステップＳ２に移り、稼働開始日時が登録されているか確認する。
【００１６】
ステップＳ２で稼働開始日時が登録されている場合は、ステップＳ３に移り、稼働停止日時≦現在日時＜稼働開始日時であるかを判定し、稼働停止日時≦現在日時＜稼働開始時である場合は、状態変化をクライアント装置４ａ、４ｂに送信せず終了する。
【００１７】
ステップＳ３で稼働停止日時≦現在日時＜稼働開始日時でない場合は、ステップＳ７に移り、状態変化をクライアント装置４ａ、４ｂに送信して終了する。
【００１８】
ステップＳ２で稼働開始日時が登録されていない場合は、ステップＳ４に移り、稼働停止日時≦現在日時であるかを判定し、稼働停止日時≦現在日時である場合は、状態変化をクライアント装置４ａ、４ｂに送信せず終了する。
【００１９】
ステップＳ４で稼働停止日時≦現在日時でない場合は、ステップＳ７に移り、状態変化をクライアント装置４ａ、４ｂに送信して終了する。
【００２０】
ステップＳ１で状態変化した号機の稼働停止日時が登録されていない場合は、ステップＳ５に移り、稼働開始日時が登録されているか確認する。
【００２１】
ステップＳ５で稼働開始日時が登録されている場合は、ステップＳ６に移り、現在日時＜稼働開始時であるかを確認する。
【００２２】
ステップＳ６で現在日時＜稼働開始時である場合は、状態変化をクライアント装置４ａ、４ｂに送信せず終了する。
【００２３】
ステップＳ６で現在日時＜稼働開始時でない場合は、ステップＳ７に移り、状態変化をクライアント装置４ａ、４ｂに送信して終了する。
【００２４】
ステップＳ５で稼働開始日時が登録されていない場合は、ステップＳ７に移り、状態変化をクライアント装置４ａ、４ｂに送信して終了する。
【００２５】
クライアント装置４ａ、４ｂは、システム起動時および画面表示切換え時の画面描画更新で、図４および図５のフロー図で処理する。
【００２６】
図４において、ステップＳ１１で全号機を処理完了したか判定し、全号機処理完了したら終了する。全号機処理終了でない場合は、ステップＳ１２に移り、サーバー装置３の、各号機ごとのスケジュールデータ５を参照して処理中の号機の稼働停止日時が登録されているか確認する。
【００２７】
ステップＳ１２で処理中の号機の稼働停止日時が登録されている場合は、ステップＳ１３に移り、稼働開始日時が登録されているか確認する。
【００２８】
ステップＳ１３で稼働開始日時が登録されている場合は、ステップＳ１４に移り、稼働停止日時≦現在日時＜稼働開始日時であるかを判定し、稼働停止日時≦現在日時＜稼働開始時である場合は、ステップＳ１６に移り、稼働停止中の号機表示を行い次の号機処理をステップＳ１１から行う。
【００２９】
ステップＳ１４で稼働停止日時≦現在日時＜稼働開始時でない場合は、ステップＳ１９に移り、通常の号機表示を行い、次の号機処理をステップＳ１１から行う。
【００３０】
ステップＳ１３で稼働開始日時が登録されていない場合は、ステップＳ１５に移り、稼働停止日時≦現在日時であるかを判定し、稼働停止日時≦現在日時である場合は、ステップＳ１６に移り、稼働停止中の号機表示を行なって次の号機処理をステップＳ１１から行う。
【００３１】
ステップＳ１５で稼働停止日時≦現在日時でない場合は、ステップＳ１９に移り、通常の号機表示を行なって次の号機処理をステップＳ１１から行う。
【００３２】
ステップＳ１２で処理中の号機の稼働停止日時が登録されていない場合は、ステップＳ１７に移り、稼働開始日時が登録されているか確認する。
【００３３】
ステップＳ１７で稼働開始日時が登録されている場合は、ステップＳ１８に移り、現在日時＜稼働開始時であるかを確認する。
【００３４】
ステップＳ１８で現在日時＜稼働開始時である場合は、ステップＳ１６に移り、稼働停止中の号機表示を行なって次の号機処理をステップＳ１から行う。
【００３５】
ステップＳ１８で現在日時＜稼働開始時でない場合は、ステップＳ１９に移り、通常の号機表示を行なって次の号機処理をステップＳ１１から行う。
【００３６】
ステップＳ１７で稼働開始日時が登録されていない場合は、ステップＳ１９に移り、通常の号機表示を行なって次の号機処理をステップＳ１１から行う。
【００３７】
図５は、ステップＳ１６の稼働停止中の号機表示処理を示す図である。図５において、ステップＳ２１で処理中の号機がスケジュールデータ５で工事中の表示設定となっている場合は、ステップＳ２２に移り、工事中の号機表示をする。
【００３８】
ステップＳ２１で工事中の表示設定となっていない場合は、ステップＳ２３に移り、表示しない設定になっているかを判定する。
【００３９】
ステップＳ２３で表示しない設定の場合は何もせず終了し、表示しない設定になっていない場合は、ステップＳ２４に移り、通常の号機表示を行う。
【００４０】
図６は、クライアント装置４ａ〜４ｂで表示される昇降機監視画面の一例を示す図である。図２のスケジュールで、現在日時（２０１１／１１／１０）に稼働停止中であるエレベータ４、８、エスカレータＢは状態変化の表示を行わず、改装中であるエレベータ４とエスカレータＢは工事中表示、エレベータ８は搬入されておらず稼働していないため表示されない。
【００４１】
このように、実施の形態１に係る昇降機監視装置によれば、昇降機監視制御装置のサーバー装置３に昇降機の監視／停止スケジュールを記憶し、サーバー装置３で昇降機の稼働停止期間中は状態変化を無視するため、特別な装置を使用せず、搬入前の昇降機や、改装中の昇降機に異常表示が継続することを防止することができる。
【００４２】
また、クライアント装置４ａ、４ｂでは、各監視画面の描画時に、スケジュールデータ５を参照して監視画面を作成するので、昇降機の搬入前後および改装工事前後で監視システムを変更する必要がない。
【００４３】
更に、スケジュールデータ５は、サーバー装置３またはクライアント装置４ａ、４ｂからメンテナンス機能を使用して変更することが可能であるため、昇降機の搬入日程や改装工事の日程変更にも柔軟に対応可能である。
【００４４】
なお、上記において実施の形態１に係る昇降機監視装置について図示、説明したが、この発明は、その発明の範囲内において、実施の形態を適宜、変形、省略することが可能である。
【符号の説明】
【００４５】
１ａ〜１ｃ  エレベータ
２  昇降機制御装置
３  サーバー装置
４ａ、４ｂ  クライアント装置
５  スケジュールデータ
【図１】
2013216459.tif 000003
【図２】
2013216459.tif 000004
【図３】
2013216459.tif 000005
【図４】
2013216459.tif 000006
【図５】
2013216459.tif 000007
【図６】
2013216459.tif 000008